(57)【特許請求の範囲】
【請求項１】
電力線通信（ＰＬＣ：Ｐｏｗｅｒ  Ｌｉｎｅ  Ｃｏｍｍｎｕｃａｔｉｏｎ）機器からグループＩＤ（ＧＩＤ）要請メッセージを受信するステップと、
認証モードが認証非許可モードである場合、前記ＧＩＤ要請メッセージを無視し、前記要請を拒絶するステップと、
認証モードが認証許可モードである場合、前記ＰＬＣ機器に対応するＧＩＤを前記ＰＬＣ機器に伝送するステップであって、ＧＩＤ応答メッセージを伝送して応答する、ステップとを含むＰＬＣ網におけるＧＩＤの配分方法であって、
前記ＧＩＤ要請メッセージ内には前記ＰＬＣ機器そのもののＧＩＤが含まれ、前記ＧＩＤ応答メッセージ内には前記ＰＬＣ機器が使用するＧＩＤが含まれ、
認証モード選択ボタンを介した外部入力信号に基づき、認証許可モードから認証非許可モードに変更できる、または認証非許可モードから認証許可モードに変更できることを特徴とするＰＬＣ網におけるＧＩＤの配分方法。
【請求項２】
前記ＧＩＤを前記ＰＬＣ機器に伝送するステップは、
前記ＰＬＣ機器が従来のグループに属する場合、前記従来のグループに該当するＧＩＤを選択して前記ＰＬＣに伝送するステップと、
前記ＰＬＣ機器が新たなグループに属する場合、新たなＧＩＤを生成して前記ＰＬＣ機器に伝送するステップとを含むことを特徴とする請求項１に記載のＰＬＣ網におけるＧＩＤの配分方法。
【請求項３】
前記従来のグループに該当するＧＩＤを選択して前記ＰＬＣ機器に伝送するステップは、
ＧＩＤ認証装置が運用中であるＧＩＤリストで前記グループに該当するＧＩＤを選択するステップを含むことを特徴とする請求項２に記載のＰＬＣ網におけるＧＩＤの配分方法。
【請求項４】
前記ＧＩＤを前記ＰＬＣ機器に伝送するステップは、
前記ＧＩＤ要請メッセージがデフォルトＧＩＤを有していない場合、前記ＧＩＤ要請メッセージを無視し、前記要請を拒絶するステップをさらに含むことを特徴とする請求項１に記載のＰＬＣ網におけるＧＩＤの配分方法。
【請求項５】
認証許可モード及び認証非許可モードのうち一つの値を有する認証モードを保存する認証モード保存部と、
ＰＬＣ機器からＧＩＤ要請メッセージを受信するＧＩＤ要請受信部と、
前記認証モードが認証許可モードである場合、前記ＰＬＣ機器に対応するＧＩＤを前記ＰＬＣ機器に伝送するＧＩＤ伝送部であって、ＧＩＤ応答メッセージを伝送して応答する、ＧＩＤ伝送部とを備えるＰＬＣ網における認証装置であって、
前記ＧＩＤ要請メッセージ内には前記ＰＬＣ機器そのもののＧＩＤが含まれ、前記ＧＩＤ応答メッセージ内には前記ＰＬＣ機器が使用するＧＩＤが含まれ、
認証モード選択ボタンを介した外部入力信号に基づき、認証許可モードから認証非許可モードに変更できる、または認証非許可モードから認証許可モードに変更できることを特徴とする認証装置。
【請求項６】
前記ＧＩＤ伝送部は、
前記ＰＬＣ機器が従来のグループに属する場合、前記従来のグループに該当するＧＩＤを選択するＧＩＤ選択部と、
前記ＰＬＣ機器が新たなグループに属する場合、新たなＧＩＤを生成するＧＩＤ生成部とを備えることを特徴とする請求項５に記載のＰＬＣ網における認証装置。
【請求項７】
前記ＰＬＣ網に属しているグループのＧＩＤリストを保存するＧＩＤ保存部をさらに備え、
前記ＧＩＤ選択部は、前記ＧＩＤ保存部に保存されたＧＩＤリストで前記ＧＩＤを選択することを特徴とする請求項６に記載のＰＬＣ網における認証装置。
【請求項８】
前記ＧＩＤ伝送部は、
前記ＧＩＤ要請メッセージがデフォルトＧＩＤを有する場合にのみ前記ＰＬＣに対応するＧＩＤを伝送することを特徴とする請求項５に記載のＰＬＣ網における認証装置。
【請求項９】
ユーザの選択によって前記認証モードを選択する認証モード選択ボタンをさらに備えることを特徴とする請求項５に記載のＰＬＣ網における認証装置。
【請求項１０】
ＰＬＣ機器からＧＩＤ要請メッセージを受信するステップと、
認証モードが認証非許可モードである場合、前記ＧＩＤ要請メッセージを無視し、前記要請を拒絶するステップと、
認証モードが認証許可モードである場合、前記ＰＬＣ機器に対応するＧＩＤを前記ＰＬＣ機器に伝送するステップであって、ＧＩＤ応答メッセージを伝送して応答する、ＧＩＤ伝送部とをコンピュータで実行させるためのプログラムを記録したコンピュータで読み取り可能な記録媒体であって、
前記ＧＩＤ要請メッセージ内には前記ＰＬＣ機器そのもののＧＩＤが含まれ、前記ＧＩＤ応答メッセージ内には前記ＰＬＣ機器が使用するＧＩＤが含まれ、
認証モード選択ボタンを介した外部入力信号に基づき、認証許可モードから認証非許可モードに変更できる、または認証非許可モードから認証許可モードに変更できることを特徴とする記録媒体。
【発明の詳細な説明】
【技術分野】
【０００１】
本発明は、電力線通信（Ｐｏｗｅｒ  Ｌｉｎｅ  Ｃｏｍｍｕｎｉｃａｔｉｏｎ：ＰＬＣ）に係り、特に、ＰＬＣ網におけるグループＩＤ（Ｇｒｏｕｐ  ＩＤ：ＧＩＤ）の配分に関する。
【背景技術】
【０００２】
ＰＬＣモデムまたはＰＬＣ内蔵機器間に電力線通信を行うためには、ＰＬＣ  ＭＡＣ（Ｍｅｄｉａ  Ａｃｃｅｓｓ  Ｃｏｎｔｒｏｌ）内に存在するＧＩＤと暗号キーは、機器間で同じでなければならない。ＰＬＣ  ＭＡＣは、ＧＩＤと暗号キーとを利用してフレームをデコーディングする。
【０００３】
しかし、現在、ＧＩＤと暗号キーとをユーザが直接入力する方式やネットワークに設定する方式を主に使用する。しかし、ユーザが機器に直接入力する場合、該当機器に入力装置や出力装置が存在するか、または連結できるインターフェースが存在せねばならない。ネットワークを通じて設定する場合には、ＰＬＣ機器に遠隔接続する装置と設定のためのソフトウェアとが搭載されねばならない。
【０００４】
また、ユーザがＰＬＣ機器を複数のセルに区分してＰＬＣ網を構成することもある。既存の方法を使用する場合、ユーザが各セルのＧＩＤを記憶せねばならず、どのＰＬＣ機器がどのセルに含まれているかも記憶せねばならない。
【０００５】
未来の家庭には多くのＰＬＣ機器が存在するであろう。多数のＰＬＣ機器にＧＩＤと暗号キーとを一々設定するのは面倒なことである。また、キーボードやマウスのような入力装置のない家電（Ｃｏｎｓｕｍｅｒ  Ｅｌｅｃｔｒｏｎｉｃｓ：ＣＥ）機器を設定するのに困難さが伴う。
【発明の開示】
【発明が解決しようとする課題】
【０００６】
本発明が解決しようとする技術的課題は、ＰＬＣ網でＰＬＣ装置に自動的にＧＩＤを配分する方法、ＧＩＤを配分するための認証装置、及び前記ＧＩＤの配分方法をコンピュータで実行させるためのプログラムを記録したコンピュータで読み取り可能な記録媒体を提供することである。
【０００７】
本発明が解決しようとする他の技術的課題は、前記ＧＩＤの配分方法に対応して前記ＰＬＣ装置からＧＩＤを受信する方法、このようなＧＩＤ受信方法を行うＰＬＣ装置、及び前記ＧＩＤ受信方法をコンピュータで実行させるためのプログラムを記録したコンピュータで読み取り可能な記録媒体を提供することである。
【課題を解決するための手段】
【０００８】
前記課題を達成するためのＰＬＣ網におけるＧＩＤの配分方法は、ＰＬＣ機器からＧＩＤ要請メッセージを受信するステップと、認証モードが認証非許可モードである場合、前記ＧＩＤ要請メッセージを無視し、前記要請を拒絶するステップと、認証モードが認証許可モードである場合、前記ＰＬＣ機器に該当するＧＩＤを前記ＰＬＣ機器に伝送するステップとを含むことが望ましい。
【０００９】
前記課題を達成するためのＰＬＣ網における認証装置は、認証許可モード及び認証非許可モードのうち一つの値を有する認証モードを保存する認証モード保存部と、ＰＬＣ機器からＧＩＤ要請メッセージを受信するＧＩＤ要請受信部と、前記認証モードが認証許可モードである場合、前記ＰＬＣ機器に該当するＧＩＤを前記ＰＬＣ機器に伝送するＧＩＤ伝送部を備えることが望ましい。
【００１０】
前記他の課題を達成するためのＰＬＣ網におけるＧＩＤ受信方法は、ＰＬＣ機器からＧＩＤ認証装置にＧＩＤ要請メッセージを伝送するステップと、前記ＰＬＣ機器で前記ＧＩＤ認証装置から前記ＧＩＤ要請メッセージに対応して伝送されたＧＩＤを受信するステップと、前記ＰＬＣ機器で前記ＧＩＤに対応する暗号キーを生成するステップとを含むことが望ましい。
【００１１】
前記他の課題を達成するためのＰＬＣ装置は、装置が認証されていないことを表すデフォルトモード及び認証されたことを表す一般モードのうち一つの値を有するモードを保存するモード保存部と、ＧＩＤ認証装置にＧＩＤ要請メッセージを伝送するメッセージ伝送部と、前記認証装置から前記ＧＩＤ要請メッセージに対応して伝送されたＧＩＤを受信するＧＩＤ受信部と、前記ＧＩＤに対応する暗号キーを生成する暗号キー生成部、を備えることが望ましい。
【発明の効果】
【００１２】
本発明によるＰＬＣ網におけるＧＩＤの配分方法、ＧＩＤ受信方法、認証装置、及びＰＬＣ装置によれば、ＰＬＣ  ＭＡＣ階層に認証機能を具現してＰＬＣ装置と認証装置との間にＧＩＤを配分することによって、ユーザが直接ＰＬＣ装置にＧＩＤを入力する不便さを解消しうる。また、認証装置を通じてＧＩＤを配分するので、ユーザが中央集中的にＧＩＤを管理しうる。
【発明を実施するための最良の形態】
【００１３】
以下、添付された図面を参照して、本発明によるＰＬＣ網におけるＧＩＤの配分方法、ＧＩＤ受信方法、認証装置、及びＰＬＣ装置について詳細に説明する。
【００１４】
図１は、本発明の一実施形態によるＰＬＣ網における認証装置の構成を示すブロック図である。説明の便宜のために、ＰＬＣ装置２００及びユーザ３００を図１に共に示した。
【００１５】
本発明による認証装置は、一般的なＰＬＣ装置に認証機能を搭載することが望ましい。ＰＬＣ装置は、物理階層と媒体接近制御階層（ＭＡＣ  ｌａｙｅｒ）とを有するが、本発明による認証機能は、ＰＬＣ  ＭＡＣ階層で具現することが望ましい。
【００１６】
図１を参照するに、本発明による認証装置１００は、認証モード保存部１１０、ＧＩＤ要請受信部１２０、ＧＩＤ伝送部１３０、ＧＩＤ保存部１４０、及び認証モード選択ボタン１５０を備えることが望ましい。
【００１７】
認証モード保存部１１０は、認証許可モード及び認証非許可モードのうち一つの値を有する認証モードを保存する。
【００１８】
ＧＩＤ要請受信部１２０は、ＰＬＣ機器２００からＧＩＤ要請メッセージ１を受信する。
【００１９】
ＧＩＤ伝送部１３０は、認証モードが認証許可モードである場合、ＰＬＣ機器に該当するＧＩＤ  ２をＰＬＣ機器２００に伝送する。このために、ＧＩＤ伝送部１３０は、ＧＩＤ選択部１３２及びＧＩＤ生成部１３４を備えることが望ましい。
【００２０】
ＧＩＤ選択部１３２は、ＰＬＣ機器２００が従来のグループに属する場合、従来のグループに該当するＧＩＤを選択する。ＧＩＤ生成部１３４は、ＰＬＣ機器２００が新たなグループに属する場合、新たなＧＩＤを生成する。
【００２１】
ＧＩＤ保存部１４０は、ＰＬＣ網に属しているグループのＧＩＤリストを保存する。ＧＩＤ選択部１３２は、ＧＩＤ保存部に保存されたＧＩＤリスト３でＧＩＤを選択する。
【００２２】
認証モード選択ボタン１５０は、ユーザ３００の選択によって認証モードを選択する。
【００２３】
図２は、本発明の一実施形態によるＰＬＣ装置の構成を示すブロック図である。説明の便宜のために、認証装置１００及びユーザ３００を図２に共に示した。図２を参照するに、本発明によるＰＬＣ装置２００は、モード保存部２１０、メッセージ伝送部２２０、ＧＩＤ受信部２３０、暗号キー生成部２４０、及びモードリセットボタン２５０を備えることが望ましい。
【００２４】
モード保存部２１０は、デフォルトモード及び一般モードのうち一つの値を有するモードを保存する。デフォルトモードは、ＰＬＣ装置２００が認証されていないことを表す。一般モードは、ＰＬＣ装置２００が認証されたことを表す。ＰＬＣ装置２００は、デフォルトモードに設定されて出荷される。
【００２５】
メッセージ伝送部２２０は、認証装置１００にＧＩＤ要請メッセージ１を伝送する。メッセージ伝送部２２０は、モード保存部２１０に保存されたモードがデフォルトモードである場合にのみＧＩＤ要請メッセージを伝送する。
【００２６】
ＧＩＤ受信部２３０は、認証装置１００からＧＩＤ要請メッセージ１に対応して伝送されたＧＩＤ  ２を受信する。ＧＩＤ受信部２３０がＧＩＤ認証装置１００からＧＩＤ  ２を受信した後、モード保存部２１０は、モードを一般モードに変更する。
【００２７】
暗号キー生成部２４０は、ＧＩＤ  ２に対応する暗号キーを生成する。
【００２８】
モードリセットボタン２５０は、ユーザ３００の選択によってモード保存部に保存されたモードをデフォルトモードに変更する。ユーザ３００がモードリセットボタン２５０を操作してモードをデフォルトモードに変更することをモードリセットという。
【００２９】
図３は、本発明の一実施形態による認証装置の状態遷移図である。図３を参照するに、認証モードは、認証許可モード１０と認証非許可モード１１との２つの状態を有しうる。ユーザ３００は、認証モード選択ボタン１５０を操作して認証許可モード１１から認証非許可モード１０に変更するか（Ｓ１０）、または認証非許可モード１０から認証許可モード１１に変更しうる（Ｓ１１）。
【００３０】
認証装置１００でＰＬＣ装置２００からＧＩＤ要請メッセージ１を受信した後、認証モードが認証許可モード１１である場合にのみＧＩＤの選択や生成が行われる（Ｓ２０）。認証モードが認証非許可モード１０である場合には、ＧＩＤの選択や生成が行われず、ＧＩＤ要請メッセージは無視される。
【００３１】
図４は、本発明の一実施形態によるＰＬＣ網におけるＧＩＤの配分方法を示すフローチャートである。
【００３２】
認証モードが認証許可モード１１である場合、ＧＩＤ要請メッセージ１を受信すれば（Ｓ２１）、認証装置１００は、ＧＩＤ要請メッセージがデフォルトＧＩＤを有するか否かを判断する（Ｓ２４）。
【００３３】
もし、ＧＩＤ要請メッセージ１がデフォルトＧＩＤを有する場合、ＧＩＤ伝送部１３０は、ＧＩＤリスト３で該当するＧＩＤを選択するか、または新たなＧＩＤを生成する（Ｓ２５）。ＰＬＣ機器２００が従来のグループに属する場合、現在運用中であるＧＩＤリスト３中で該当するＧＩＤを選択する。新たなセルを構成しようとする場合、新たなＧＩＤを生成する。ＧＩＤ伝送部１３０は、ＧＩＤリスト３で選択されるか、または新たに生成されたＧＩＤ  ２をＧＩＤ応答メッセージに含めてＰＬＣ装置２００に伝送する（Ｓ２６）。ＰＬＣ装置２００は、ＧＩＤを利用して暗号キーを生成し、ＧＩＤと暗号キーとを利用して他のＰＬＣ装置とメッセージを送受信しうる。
【００３４】
もし、ＧＩＤ要請メッセージ１がデフォルトＧＩＤを有していない場合、ＧＩＤ伝送部１３０は、ＧＩＤ要請メッセージを無視する（Ｓ２３）。
【００３５】
認証モードが認証非許可モード１０である場合、ＧＩＤ要請メッセージ１を受信すれば（Ｓ２２）、認証装置１００は、ＧＩＤ要請メッセージを無視する（Ｓ２３）。認証非許可モード１０では、ＧＩＤ要請メッセージ１がデフォルトＧＩＤを有するか否かに関係なく、認証を許諾しない。一実施形態において、ユーザ３００は、認証装置１００のモードを認証非許可モード１０に設定することによって、自身の家で新たなＰＬＣ装置の使用を許諾しないようにしうる。
【００３６】
図５は、本発明の一実施形態によるＰＬＣ装置の状態遷移図である。図５を参照するに、ＰＬＣ装置のモードは
、デフォルトモード３０と一般モード３１０との２つの状態を有しうる。工場から出荷時に、ＰＬＣ装置２００は、デフォルトモード３０に設定されており、デフォルトＧＩＤとデフォルト暗号キーとを有している。
【００３７】
認証装置１００からＧＩＤを受信して認証されれば（Ｓ３０）、モードは、一般モード３１に変更される。ＰＬＣ装置２００が一般モード３１である場合、ＰＬＣ装置２００は、認証装置１００から受信したＧＩＤを利用して他のＰＬＣ装置と通信している状態である。
【００３８】
ユーザ３００は、モードリセットボタン２５０を操作して（Ｓ３１）、一般モード３１からデフォルトモード３０に変更しうる。
【００３９】
図６は、本発明の一実施形態によるＰＬＣ網におけるＧＩＤ受信方法を示すフローチャートである。
【００４０】
工場から出荷４０されたＰＬＣ装置２００は、デフォルトモード３０を有する。また、ユーザがモードリセットボタン２５０を操作して一般モード３１からデフォルトモード３０に変更されることもある（Ｓ３１）。デフォルトモード３０で、ＰＬＣ装置２００は、デフォルトＧＩＤを有するＧＩＤ要請メッセージ１を認証装置１００に伝送する（Ｓ４２）。
【００４１】
ＰＬＣ装置２００は、ＧＩＤ認証装置１００からＧＩＤ要請メッセージ１に対応するＧＩＤ２を伝送することを待つ（Ｓ４４）。
【００４２】
認証装置１００が認証許可モード１１である場合、ＧＩＤ  ２を伝送する。ＧＩＤ応答を受信した場合、ＧＩＤに対応する暗号キーを生成する（Ｓ４８）。ＧＩＤを受信した場合、モードをデフォルトモード３０から一般モード３１に変更する（Ｓ４９）。
【００４３】
認証装置２００が認証非許可モード１０である場合、ＧＩＤを伝送しないであろう。ＧＩＤ応答を受信していない場合、ＰＬＣ装置２００は、デフォルトＧＩＤを使用して他のＰＬＣ装置と通信する（Ｓ４６）。
【００４４】
図７は、初期化されたＰＬＣがＧＩＤを受信する場合の本発明の一実施形態を示すフローチャートである。
【００４５】
工場から出荷された後、初めてＰＬＣ装置２００の電源をオンにすれば（Ｓ１００）、ＰＬＣ装置２００は、デフォルトモード状態である。デフォルトＧＩＤを有しているＰＬＣ装置２００にＧＩＤを配分するために、ユーザ３００は、認証装置１００の認証モードを認証許可モード１１に変更せねばならない（Ｓ１１０）。
【００４６】
ＰＬＣ装置２００がＧＩＤ要請メッセージ１を伝送すれば（Ｓ１２０）、認証装置１００は、ＧＩＤを選択または生成し（Ｓ１３０）、ＧＩＤ応答メッセージを伝送して応答する（Ｓ１４０）。ＧＩＤ要請メッセージ１内には、ＰＬＣ装置２００そのもののＧＩＤが含まれねばならず、ＧＩＤ応答メッセージ内には、ＰＬＣ装置が使用するＧＩＤ  ２が含まれねばならない。
【００４７】
ＰＬＣ装置２００は、ＧＩＤを受信し（Ｓ１５０）、これを利用して暗号キーを生成する（Ｓ１６０）。
【００４８】
ユーザ３００は、認証装置１００の認証モードを認証非許可モード１０に変更して意図しない他のＰＬＣ装置の認証を防止する（Ｓ１７０）。
図７に示された実施形態は、工場から出荷されたＰＬＣを初めて家に設置するケースに該当する。
【００４９】
図８は、認証装置が認証非許可モードで動作する中に、非認証のＰＬＣがＧＩＤを受信しようとする場合の本発明の一実施形態を示すフローチャートである。図８に示された実施形態は、非認証のＰＬＣが特定セルに参加しようとする場合（Ｓ４１０）を示すものである。ＰＬＣ装置２００は、モードリセットを通じてデフォルトモードに変更し（Ｓ４２０）、認証装置１００にＧＩＤ要請メッセージを伝送する（Ｓ４３０）。
【００５０】
特定セルのマネージャは、平常時に認証装置１００の認証モードを認証非許可モード１０に設定して使用するので（Ｓ４００）、認証装置１００は、デフォルトＧＩＤを有するＧＩＤ要請メッセージを受けても無視する（Ｓ４４０）。したがって、非認証のＰＬＣがセルに合流することを防止する。
【００５１】
図９は、認証装置１００が認証許可モードで動作する中に、認証されていないＰＬＣを認証する場合の本発明の一実施形態を示すフローチャートである。
【００５２】
ユーザ３００は、認証装置１００の認証モードを認証許可モード１１に変更し（Ｓ５１０）、ＰＬＣ装置２００のモードをリセットしてデフォルトモードに変更する（Ｓ５２０）。デフォルトモードに設定されたＰＬＣ装置２００は、ＧＩＤ要請メッセージを伝送し（Ｓ５３０）、認証装置１００は、ＰＬＣ装置２００のＧＩＤ要請メッセージ１を受信し、ＧＩＤを選択または生成し（Ｓ５４０）、ＧＩＤ応答メッセージを伝送しうる（Ｓ５５０）。
【００５３】
ＰＬＣ装置２００は、ＧＩＤを受信し（Ｓ５６０）、暗号キーを生成する（Ｓ５７０）。
【００５４】
ユーザは、認証が完了した後、認証装置１００のモードを認証非許可モードに変更する（Ｓ５８０）。
【００５５】
図９に示された実施形態は、他のセルに属する認証装置によってＧＩＤを配分され、通信中である（Ｓ５００）ＰＬＣ装置を、現在運用中である認証装置を利用して認証するケースに該当する。
【００５６】
図１０は、認証されたＰＬＣがＧＩＤを変更しようとする場合の本発明の一実施形態を示すフローチャートである。図１０を参照するに、既存にＧＩＤを受信して通信中である（Ｓ６００）ＰＬＣ装置のＧＩＤを変更する過程を説明する。
【００５７】
ＧＩＤを変更するために、ユーザは、認証装置１００のモードを認証許可モードに変更し（Ｓ６１０）、ＰＬＣ装置２００のモードをリセットさせることによって（Ｓ６２０）、ＧＩＤ要請メッセージを伝送させる（Ｓ６３０）。Ｓ６４０以下のステップは、他の実施形態で説明した通りであるので、ここでは説明を省略する。
【００５８】
本発明によれば、認証機能が宅内の任意のＰＬＣ装置に搭載されうる。したがって、宅内の該当認証装置と連結可能なＰＬＣ装置は、容易に認証装置からＧＩＤを配分されうる。これにより、既存のＰＬＣセルに合流することもあり、新たなＰＬＣセルを構成することもある。
【００５９】
認証装置は、ＧＩＤリストに含まれたそれぞれのＧＩＤとそれに対応するＰＬＣ装置のリストとをユーザに見せうる。実際ＰＬＣ  ＭＡＣで使われるＧＩＤは、４６ビットの値を有するが、ユーザに見せる時には、ユーザが見やすいＩＤまたは値に変換して見せる。ユーザは、本発明による認証機能のみを利用して中央集中的にＧＩＤを管理しうる。したがって、ＧＩＤの配分が必要に応じて直接ＧＩＤをＰＬＣ装置に入力する不便さが解消される。また、ユーザインターフェースが不備であるので、入力が困難なＰＬＣ装置に対して便利にＧＩＤ配分が可能になる。
【００６０】
本発明は、コンピュータで読み取り可能な記録媒体にコンピュータ（情報処理機能を有する装置を何れも含む）で読み取り可能なコードとして具現することが可能である。コンピュータで読み取り可能な記録媒体は、コンピュータシステムによって読み取られるデータが保存される全ての種類の記録装置を含む。コンピュータで読み取り可能な記録装置の例としては、ＲＯＭ、ＲＡＭ、ＣＤ−ＲＯＭ、磁気テープ、フロッピー（登録商標）ディスク、光データ記録装置がある。
【００６１】
たとえ、前記説明が多様な実施形態に適用される本発明の新たな特徴に焦点を合せて説明されたとしても、当業者は、本発明の範囲を逸脱せずにも前記説明された装置及び方法の形態及び細部事項で多様な削除、代替、及び変更が可能であるということが理解できるであろう。したがって、本発明の範囲は、前記説明よりは、特許請求の範囲によって定義される。特許請求の範囲の均等範囲内の全ての変形は、本発明の範囲に含まれる。
【産業上の利用可能性】
【００６２】
本発明は、ＰＬＣ関連の技術分野に適用可能である。
【図面の簡単な説明】
【００６３】
【図１】本発明の一実施形態によるＰＬＣ網における認証装置の構成を示すブロック図である。
【図２】本発明の一実施形態によるＰＬＣ装置の構成を示すブロック図である。
【図３】本発明の一実施形態による認証装置の状態遷移図である。
【図４】本発明の一実施形態によるＰＬＣ網におけるＧＩＤの配分方法を示すフローチャートである。
【図５】本発明の一実施形態によるＰＬＣ装置の状態遷移図である。
【図６】本発明の一実施形態によるＰＬＣ網におけるＧＩＤ受信方法を示すフローチャートである。
【図７】初期化されたＰＬＣ機器がＧＩＤを受信する場合の本発明の一実施形態を示すフローチャートである。
【図８】認証装置が認証非許可モードで動作中に、非認証のＰＬＣ機器がＧＩＤを受信しようとする場合の本発明の一実施形態を示すフローチャートである。
【図９】認証装置が認証許可モードで動作中に、認証されていないＰＬＣ機器を認証する場合の本発明の一実施形態を示すフローチャートである。
【図１０】認証されたＰＬＣがＧＩＤを変更しようとする場合の本発明の一実施形態を示すフローチャートである。
【符号の説明】
【００６４】
１      ＧＩＤ要請メッセージ
２      ＧＩＤ
３      ＧＩＤリスト
１００  認証装置
１１０  認証モード保存部
１２０  ＧＩＤ要請受信部
１３０  ＧＩＤ伝送部
１３２  ＧＩＤ選択部
１３４  ＧＩＤ生成部
１４０  ＧＩＤ保存部
１５０  認証モード選択ボタン
２００  ＰＬＣ装置
３００  ユーザ
【図１】
0005443669.tif 000002
【図２】
0005443669.tif 000003
【図３】
0005443669.tif 000004
【図４】
0005443669.tif 000005
【図５】
0005443669.tif 000006
【図６】
0005443669.tif 000007
【図７】
0005443669.tif 000008
【図８】
0005443669.tif 000009
【図９】
0005443669.tif 000010
【図１０】
0005443669.tif 000011